(57)【要約】【課題】  画像の取得前に、ユーザが原稿上で画像の取得を行う範囲を指定し、この指定に基づいて画像を取得できる画像読取装置を提供する。【解決手段】  画像読取装置１０は、透明なタッチパネル２１と、画像読取ユニット４２を含む画像を取得する手段と、制御手段とを備える。そして、この画像読取装置１０を取得する画像を含む原稿の上に載置し、透明なタッチパネル２１を透かしてユーザが画像を取得する部分を確認し、この部分をタッチパネル２１上で指定する。画像読取装置１０は、タッチパネル２１により指定された位置の座標を特定し、この座標により画像取得領域を特定する。そして、画像読取ユニット４２を移動させて画像を読み取って、特定された画像取得領域についてイメージデータを取得し、記録する。【選択図】      図１
2007027868.tif 000002
【特許請求の範囲】
【請求項１】
透明板の上面の位置認識手段と、画像を取得する手段と、制御手段とを備えた画像読取装置であって、
前記制御手段が、
前記位置認識手段により特定された座標により画像取得領域を特定し、
画像を取得する手段により、前記画像取得領域について前記透明板の下方の対象物の画像を取得し、
前記画像を記録することを特徴とする画像読取装置。
【請求項２】
前記取得した画像を表示する表示手段をさらに備えたことを特徴とする請求項１に記載の画像読取装置。
【請求項３】
ハードディスクをさらに備えたことを特徴とする請求項１又は２に記載の画像読取装置。
【請求項４】
無線通信手段をさらに備えたことを特徴とする請求項１〜３のいずれか１つに記載の画像読取装置。
【請求項５】
前記画像の取得時期に関する情報を取得し、前記画像に関連付けて記録する手段をさらに備えたことを特徴とする請求項１〜４のいずれか１つに記載の画像読取装置。
【請求項６】
前記画像取得領域を特定する手段は、
前記位置認識手段により連続して特定された位置の始点と終点とを結ぶ直線を対角線とする長方形の領域を前記画像取得領域として特定する手段、
前記位置認識手段により特定された２点を結ぶ直線を対角線とする長方形の領域を前記画像取得領域として特定する手段、及び、
前記位置認識手段により連続して特定された位置により囲まれる領域を前記画像取得領域として特定する手段
の少なくともいずれか１つを備えたことを特徴とする請求項１〜５のいずれか１つに記載の画像読取装置。
【請求項７】
キー入力手段をさらに備えたことを特徴とする請求項１〜６のいずれか１つに記載の画像読取装置。
【発明の詳細な説明】
【技術分野】
【０００１】
本発明は、画像読取装置に関する。
【背景技術】
【０００２】
従来使用されている、いわゆるフラットベット型の画像読取装置では、長方形のガラス板より成る原稿台上に原稿を置き、原稿台下方で移動する画像読取手段により原稿面の画像を読取る。また、いわゆるシートフィード型の画像読取装置では、画像読取手段を固定し、原稿を移動させて原稿の画像を読み取る。このような画像読取装置では、通常、原稿全体を読取り、原稿全体を対象とする画像データを記録する。そして、その原稿の画像の一部を使用したい場合には、記録された画像データをパソコンのディスプレイ上に表示して、ユーザが範囲指定をすることよりトリミングを行うことが一般的である（例えば、特許文献１参照。）。特許文献１には、予め設定されたレイアウト枠に、原画像を割り付ける場合、適宜、トリミング処理を行うことにより、トリミング処理における領域指定の利便性を向上する技術が公開されている。
【特許文献１】特開２００４−７２１４５号公報（第６−９頁）
【発明の開示】
【発明が解決しようとする課題】
【０００３】
しかし、ユーザは、原稿中の必要な部分を原稿の読取前に把握している場合が多い。それにもかかわらず、一旦、原稿の全体を読み取った後に、読み取られた画像についてユーザがパソコン操作を行ってトリミングを行うのでは、作業が繁雑である。また、この場合、一旦、読み取った原稿全体のイメージデータを記録することとなり、実際には一部分のみのイメージデータが必要な場合でも、大きなデータを保存する必要がある。
【０００４】
本発明は、上記課題を解決するためになされたものであり、その目的は、画像の取得前に、ユーザが原稿上で画像の取得を行う範囲を指定し、この指定に基づいて画像を取得できる画像読取装置を提供することにある。
【課題を解決するための手段】
【０００５】
上記問題点を解決するために、本発明の画像読取装置は、透明板の上面の位置認識手段と、画像を取得する手段と、制御手段とを備えた画像読取装置であって、前記制御手段が、前記位置認識手段により特定された座標により画像取得領域を特定し、画像を取得する手段により、前記画像取得領域について前記透明板の下方の対象物の画像を取得し、前記画像を記録する。これによれば、ユーザは、原稿の上に画像読取装置に備えられた透明板を置いて、この透明板を透かして原稿を見ながら、この透明板上で対象物の位置を指定することができる。そして、画像読取装置は、ユーザにより指定された位置の座標を特定し、この座標により画像取得領域を特定できる。そして、画像読取装置は、このようにして特定した画像取得領域の画像を取得できる。従って、画像読取装置による画像の読取り前に、透明板を透かしてユーザが画像取得領域の指定を行い、この画像を取得することができる。
【０００６】
この画像読取装置において、前記取得した画像を表示する表示手段をさらに備えていてもよい。これによれば、ユーザは、画像読取装置が取得した画像を確認できる。
この画像読取装置において、ハードディスクをさらに備えていてもよい。これによれば、ハードディスクにイメージデータ等のデータを記録し、データの保存や、加工が可能となる。
【０００７】
この画像読取装置において、無線通信手段をさらに備えていてもよい。これによれば、この画像読取装置は、取得したイメージデータを無線通信により外部装置に送信できる。このため、画像読取装置により取得されたイメージデータを外部装置に容易に取り込むことができる。
【０００８】
この画像読取装置において、前記画像の取得時期に関する情報を取得し、前記画像に関連付けて記録する画像取得時期記録手段をさらに備えていてもよい。これによれば、画像の取得時期を後に確認することができる。
【０００９】
この画像読取装置において、前記画像取得領域を特定する手段は、前記位置認識手段により連続して特定された位置の始点と終点とを結ぶ直線を対角線とする長方形の領域を前記画像取得領域として特定する手段、前記位置認識手段により特定された２点を結ぶ直線を対角線とする長方形の領域を前記画像取得領域として特定する手段、及び、前記位置認識手段により連続して特定された位置により囲まれる領域を前記画像取得領域として特定する手段の少なくともいずれか１つを備えていてもよい。これによれば、ユーザは、簡易な操作により透明板上で画像取得領域の指定を行うことができる。そして、この指定に基づいて、画像読取装置が適切な画像取得領域を特定して画像の取得を行うことができる。
【００１０】
この画像読取装置において、キー入力手段をさらに備えていてもよい。これによれば、取得した画像に関連する事項に関する入力や、この画像の操作を行うことができる。
【発明の効果】
【００１１】
本発明によれば、画像の取得前に、ユーザが原稿上で画像の取得を行う範囲を指定し、この指定に基づいて画像を取得できる。
【発明を実施するための最良の形態】
【００１２】
以下、本発明を具体化した実施形態を、図１〜図５を用いて説明する。本実施形態では、画像の取得前に、ユーザが原稿上で画像の取得を行う範囲を指定し、この指定に基づいて画像を取得できる画像読取装置として説明する。
【００１３】
図１に示すように、画像読取装置１０は、タッチパネル装置２０、表示操作装置３０及びスキャナ本体４０を備えている。
タッチパネル装置２０は、枠２３内に透明板としてのタッチパネル２１を備えている。このタッチパネル２１は、透明であり、原稿の上に画像読取装置１０を載置した場合に、タッチパネル２１を透かして、原稿を視認できる。そして、このタッチパネル２１に触れると、位置（座標）を認識する。すなわち、このタッチパネル２１が、特許請求の範囲に記載の位置認識手段として機能する。更に、このタッチパネル２１上には、縦、横、それぞれ等間隔にドットマーク２２が設けられている。このドットマーク２２は、原稿に対する画像読取装置１０の位置あわせに用いられる。
【００１４】
表示操作装置３０は、表示手段としての表示部３１、及び入力キー表示を備えている。
表示部３１は、取得された画像等を表示する。また、入力ボタンを表示し、この入力ボタン上の位置でタッチパネル２１を触れた場合、この入力ボタンによる入力が行われる。
【００１５】
入力キー表示は、テキストデータの入力を行う場合に用いるキーの表示である。この入力キー表示上の位置でタッチパネル２１に触れると、テキストデータの入力が行われる。
すなわち、表示部３１や入力キー表示上の位置でタッチパネル２１に触れた場合に、その位置（座標）の特定により、対応する入力ボタンや入力キー３２が特定されることにより、タッチパネル２１における表示部３１上の部分や入力キー表示上の部分（入力キー３２）が、特許請求の範囲に記載のキー入力手段として機能する。
【００１６】
スキャナ本体４０は、枠４１内に、画像読取ユニット４２及び制御装置４３が設けられている。
画像読取ユニット４２は、画像読取装置１０の横辺に平行な方向（以下、主走査方向という）に伸びた長細形状を有し、図３に示すように、リニアイメージセンサ５２と、光源（反射原稿用光源）５１、ミラー６４及びレンズ６５を備えた光学系とを備えている。
【００１７】
リニアイメージセンサ５２は、主走査線に平行な、主走査方向に直線状に配列された画素群を備えている。画素群は例えばフォトダイオード等で構成される。リニアイメージセンサ５２は、可視光、赤外光、紫外光等の所定波長領域の光を各画素で光電変換して得た電荷を一定時間蓄積し、各画素について受光量に相関する出力信号をＣＣＤ（Charge Coupled Device ）、ＭＯＳトランジスタスイッチ等を用いて出力する。
【００１８】
光源５１、ミラー６４、レンズ６５を備えた光学系は、リニアイメージセンサ５２の画素群と共役の関係にある主走査線上の原稿の光像をリニアイメージセンサ５２に入力する。すなわち光学系は、主走査線上の原稿の光像をリニアイメージセンサ５２の画素群に焦点をほぼ合わせて結像する。光源５１はキセノンランプ等の管照明装置から構成され、長手方向軸線が主走査線と平行に延びて配置されている。図３に模式的に示すように、原稿９０を光源５１が照射するとき、ミラー６４及びレンズ６５は原稿９０の反射光像をリニアイメージセンサ５２に到達させる。
【００１９】
この画像読取ユニット４２は、副走査駆動部５４（図２参照）によって主走査線に垂直な方向（以下、副走査方向という）に搬送される。副走査駆動部５４は、主走査線に軸平行に配置されて画像読取ユニット４２を挟持し搬送するローラ対、及びローラを回転駆動するモータ及び歯車列、モータを制御する駆動回路等を備えている。副走査駆動部５４により画像読取ユニット４２が副走査方向に移動することで、原稿９０に対する画像読取ユニット４２の相対位置が変化するため、二次元画像の走査が可能となる。
【００２０】
制御装置４３は、後述する図２に示すＡＦＥ部５３、制御部５７、ハードディスク装置（ＨＤＤ）６１及びインターフェース部６３を備えている。
画像読取装置１０は、このタッチパネル装置２０、表示操作装置３０及びスキャナ本体４０を順番に重ねた構成となっている。
【００２１】
ユーザは、この画像読取装置１０を、画像を取得する部分を含む原稿の上に載置し、タッチパネル２１を透かして画像を取得する部分を確認し、タッチパネル２１上で画像を取得する領域を指定して、画像取得指示を入力する。これにより、後述するように画像読取装置１０は原稿の画像読取を実行し、指定された領域のイメージデータを取得する。なお、本実施形態において、原稿とは、画像読取装置１０により画像を取得する部分を含むものをいい、画像を取得する部分が印刷された紙面の他、書籍や、紙以外のものも含む。
【００２２】
図２は、この画像読取装置１０の電気的構成を示すブロック図である。
図２に示すように、画像読取装置１０の機能装置５０には、光源５１、リニアイメージセンサ５２、ＡＦＥ部５３、副走査駆動部５４、タッチパネル２１、入力キー３２、制御手段としての制御部５７、ハードディスク装置（ＨＤＤ）６１、表示部３１及びインターフェース部６３が備えられ、それぞれバスにより接続されている。
【００２３】
アナログフロントエンド（ＡＦＥ）部５３はアナログ信号処理部、Ａ／Ｄ変換器等で構成される。アナログ信号処理部は、リニアイメージセンサ５２から出力された出力信号に、増幅、雑音低減処理等を施して出力する。Ａ／Ｄ変換器は、アナログ信号処理部から出力された出力信号を量子化して所定ビット長のデジタル表現の画素値を画素毎に出力する
。このデジタル表現のイメージデータが制御部５７に入力される。
【００２４】
制御部５７はＣＰＵ５８、ＲＯＭ５９及びＲＡＭ６０を備えている。ＣＰＵ５８は、ＲＯＭ５９に記憶されたコンピュータプログラムを実行して画像読取装置１０の機能装置５０の各部を制御する。ＲＯＭ５９は各種のプログラム及びデータを記憶するメモリであり、ＲＡＭ６０はプログラムやデータを一時的に記憶するメモリである。
【００２５】
制御部５７は、タッチパネル２１上でユーザにより指定された位置の座標により特定される画像取得領域のイメージデータの取得を制御する。そして、取得したイメージデータの記録及び外部装置８０への転送等を行う。また、制御部５７は、表示部３１や入力キー表示の上の位置でタッチパネル２１に触れられた場合に、その位置情報（座標）を特定し、これに対応する入力ボタンや入力キーを特定して、これにより入力されたデータに基づいて処理を行う。
【００２６】
ＨＤＤ６１は、取得したイメージデータ、イメージデータの取得日時に関するデータ、入力キー３２を用いて入力されたテキストデータ等を記録する。
タッチパネル２１は、透明なタッチパネルであり、このタッチパネル２１に触れると、その位置情報（座標）が特定される。そして、このタッチパネル２１は、特定した位置情報を制御部５７に送信する。
【００２７】
インターフェース部６３は、有線通信手段又は無線通信手段を備え、有線又は無線により、パーソナルコンピュータやプリンタ等の外部装置８０と接続する。
表示部３１は、取得された画像や、画像の取得日時、入力されたテキストデータ、印刷時の用紙の印刷イメージ等を表示する。また、入力ボタンを表示し、表示された入力ボタン上の位置でタッチパネル２１を触れた場合、この入力ボタンによる入力が行われる。例えば、画像取得指示、外部装置８０への転送・記録指示、及びプリンタによる印刷指示の入力が、表示部３１に表示される入力ボタンにより行われる。この場合、入力ボタン上の位置でタッチパネル２１を触れると、タッチパネル２１は、触れられた位置に関する情報（座標）を制御部５７に送信する。制御部５７は、この位置情報（座標）に基づいて、表示部３１の表示データ中のこの座標に対応する部分を特定することにより、入力ボタンによる入力を認識する。
【００２８】
入力キー３２は、数字や文字を含むテキストデータの入力等に用いられる。具体的には、入力キー３２上の位置でタッチパネル２１に触れると、タッチパネル２１が触れられた位置に関する情報（座標）を制御部５７に送信する。制御部５７は、この位置情報（座標）に基づいて、入力キーによる入力を認識する。従って、入力キー３２は、表示操作装置３０上の入力キー表示と、タッチパネル２１のこの入力キー表示上に位置する部分によって構成される。
【００２９】
機能装置５０には、電池７０からの電力が供給される。電池７０は、電源７５から供給される電力を一時的に蓄積する。なお、本実施形態では、画像読取装置１０を載置するクレードルに電力が供給されることにより、このクレードルが電源７５の機能を有し、画像読取装置１０がこのクレードルに載置されている間に電池７０への充電が行われる。
【００３０】
次に、このように構成された画像読取装置１０における画像取得処理の手順について図４及び図５を用いて説明する。
まず、ユーザは、図５（ａ）に示すように、取得対象の画像を含む原稿９０の上に画像読取装置１０を載置する。ここで、原稿９０の辺や原稿９０上の線に、主走査方向、副走査方向にそれぞれ等間隔で設けられたドットマーク２２をあわせることにより、原稿９０に対する画像読取装置１０の位置あわせを行う。
【００３１】
そして、ユーザは、取得対象の画像の範囲指定を入力する。具体的には、図５（ａ）の対角線指定９１に示すように、タッチパネル２１上で、取得しようとする画像を含む部分を指でなぞる。タッチパネル２１は、ユーザの指が最初に触れた位置の座標を、始点の座標（Ｘ１，Ｙ１）として特定し、位置情報（座標）を制御部５７に送信する。また、指を離した位置又は現在触れている位置の座標を終点の座標（Ｘ２，Ｙ２）として特定し、位置情報（座標）を制御部５７に送信する。制御部５７は、始点と終点とを結ぶ直線を対角線とする長方形を特定する。すなわち、始点の座標（Ｘ１，Ｙ１）、座標（Ｘ１，Ｙ２）、終点の座標（Ｘ２，Ｙ２）、座標（Ｘ２，Ｙ１）の４点を頂点とする領域が特定される。従って、ユーザが、指でタッチパネル２１をなぞると、指の移動に従って、指が触れている位置を終点として、始点の座標と終点の座標とから上記のようにして特定される長方形の領域が変化する。そして、ユーザがタッチパネル２１から指を離すと、指を離した位置を終点として特定し、始点と終点とを結ぶ直線を対角線とする長方形の領域を、図５（ａ）に示すように画像取得領域９２として特定する（ステップＳ１）。
【００３２】
ユーザは、画像取得領域９２の画像を取得する場合、表示部３１に表示された入力ボタンを用いて画像取得指示を入力する。この場合、この入力ボタン上の位置でタッチパネル２１を触れると、タッチパネル２１が触れられた位置に関する情報（座標）を制御部５７に送信する。制御部５７は、この位置情報（座標）に基づいて、画像取得指示が入力されたことを認識する。なお、画像取得領域９２を変更する場合は、ユーザは、再度、画像を取得する部分についてタッチパネル２１を指でなぞる。この場合、画像読取装置１０は、先の画像取得領域９２をリセットし、新たに指を触れた位置を始点とし、指を離した位置を終点としてこの始点と終点とを結ぶ直線を対角線とする長方形の領域を、新たに画像取得領域９２として特定する。
【００３３】
画像取得指示が入力されると、画像読取装置１０は、特定した画像取得領域９２の画像を取得する（ステップＳ２）。具体的には、まず、副走査駆動部５４を駆動して、図５（ｂ）の画像取得領域９２を形成する長方形の一辺の位置（位置ａ）まで画像読取ユニット４２を移動させ、位置ａにおいて画像の読取を行う。そして、リニアイメージセンサ５２により画像の読取を行いつつ、副走査駆動部５４を駆動して、対向する辺の位置（位置ｂ）まで画像読取ユニット４２を移動させ、位置ｂまで画像の読取を行う。ここで、リニアイメージセンサ５２から出力された出力信号は、ＡＦＥ部５３に入力され、ＡＦＥ部５３から出力された画素毎のデジタル表現の画像値が制御部５７に入力される。制御部５７は、画像取得領域９２に対応する部分を、入力された画像のデータから切り出して、この部分のイメージデータをＲＡＭ６０に記録する。また、このとき、制御部５７は、画像の取得日時として現在日時を取得し、この現在日時に関するデータを、取得したイメージデータに関連付けてＲＡＭ６０に記録する。なお、画像読取装置１０は、副走査駆動部５４を駆動して画像読取ユニット４２を副操作方向に移動させて、表示操作装置３０の下の元の位置に戻す。
【００３４】
そして、画像読取装置１０は、ＲＡＭ６０に記録したイメージデータに基づいて画像を表示部３１に表示する（ステップＳ３）。上記の例の場合、図５（ｃ）のように表示部３１に画像が表示される。
【００３５】
ユーザは、この表示部３１に表示された画像を確認して、表示部３１に表示された表示ボタンを用いて記録又は印刷の指示を入力する（ステップＳ４）。この場合、この入力ボタン上の位置でタッチパネル２１を触れると、タッチパネル２１が触れられた位置に関する情報（座標）を制御部５７に送信する。制御部５７は、この位置情報（座標）に基づいて、記録又は印刷の指示が入力されたことを認識する。このとき、文字や数字を含むテキストデータを、入力キー３２を用いて入力することができる。制御部５７は、入力された
テキストデータを、ＲＡＭ６０に記録したイメージデータに関連付けて一時的に記録する。
【００３６】
そして、記録又は印刷の指示に応じて、イメージデータ及び関連データ（取得日時に関するデータ、テキストデータ）の記録又は印刷を行う。
例えば、画像読取装置１０のハードディスクへの記録指示が入力された場合、画像読取装置１０は、ＨＤＤ６１にイメージデータと関連データとを関連付けて記録する。また、外部装置８０への記録指示が入力された場合、画像読取装置１０は、インターフェース部６３を介して、外部装置８０であるパソコン等にイメージデータと関連データとを送信し、これらを関連付けて外部装置８０に記録する。
【００３７】
一方、印刷指示が入力された場合、画像読取装置１０は、外部装置８０であるプリンタにイメージデータと関連データとを送信する。そして、これを受信したプリンタが、受信したデータに基づいて画像の印刷を行う。このとき、表示部３１に表示された表示ボタンによる指示入力に従って、画像の取得日時や入力されたテキストデータの印刷を行ってもよい。さらに、表示部３１に表示された表示ボタンにより印刷イメージの調整指示が入力された場合、画像読取装置１０の制御部５７は、ＨＤＤ６１にイメージデータと関連データとを関連付けて記録し、表示部３１に用紙全体の印刷イメージを表示する。ユーザは、この表示部３１に表示された印刷イメージを確認して、表示部３１に表示された表示ボタンを用いて画像や文字の印刷サイズや位置の変更指示を入力する。制御部５７は、この入力に基づいて、画像や文字の印刷サイズや位置を変更し、変更後の印刷イメージを表示部３１に表示する。そして、ユーザが、表示部３１に表示された表示ボタンを用いて印刷指示を入力すると、制御部５７は、表示部３１に表示している印刷イメージのデータをプリンタに送信して印刷要求を行う。これを受信したプリンタは、受信したデータに基づいて印刷を行う。
【００３８】
以上、本実施形態によれば、以下に示す効果を得ることができる。
○  上記実施形態では、画像読取装置１０は、透明なタッチパネル２１と、画像を取得する手段と、制御手段とを備え、タッチパネル２１により特定された座標により画像取得領域を特定し、画像を取得する手段により、特定された画像取得領域についてタッチパネル２１の下方の対象物の画像を取得し、取得した画像を記録する。このため、ユーザは、原稿の上に画像読取装置１０を置いて、この画像読取装置１０の透明なタッチパネル２１を透かして原稿を見ながら、このタッチパネル２１上で対象物の位置を指定することができる。そして、画像読取装置１０は、ユーザにより指定された位置の座標を特定し、この座標により画像取得領域を特定し、この画像取得領域の画像を取得できる。従って、画像読取装置１０による画像の読取り前に、透明板を透かしてユーザが画像取得領域の指定を行い、この画像を取得することができる。
【００３９】
○  上記実施形態では、画像読取装置１０は表示部３１を備え、この表示部３１に取得した画像を表示する。このため、ユーザは、画像読取装置が取得した画像を確認できる。
○  上記実施形態では、画像読取装置１０は、ＨＤＤ６１を備える。このため、ＨＤＤ６１を用いて、イメージデータ等の保存や、加工が可能となる。
【００４０】
○  上記実施形態では、画像読取装置１０は、インターフェース部６３を備え、外部装置８０に有線又は無線の通信によりデータを送信できる。このため、画像読取装置１０により取得されたイメージデータを外部装置８０に容易に取り込むことができる。
【００４１】
○  上記実施形態では、画像読取装置１０は、画像の取得時期に関する情報を取得し、取得した画像に関連付けて記録する。このため、画像の取得時期を後に確認できる。
○  上記実施形態では、画像読取装置１０は、タッチパネル２１により連続して特定さ
れた位置の始点と終点とを結ぶ直線を対角線とする長方形の領域を画像取得領域として特定する。このため、ユーザは、簡易な操作によりタッチパネル２１上で画像取得領域の指定を行うことができる。そして、この指定に基づいて、画像読取装置１０が適切な画像取得領域を特定して画像の取得を行うことができる。
【００４２】
○  上記実施形態では、画像読取装置１０は、表示部３１に表示した入力ボタンによる入力や入力キー３２による入力を、タッチパネル２１が触れられた位置を特定し、この位置に対応する入力ボタンや入力キー３２を特定することにより行う。このため、取得した画像に関連する事項に関する入力や、この画像の操作を行うことができる。
【００４３】
○  上記実施形態では、タッチパネル２１には、主走査方向、副走査方向にそれぞれ等間隔でドットマーク２２が設けられている。このため、ユーザは、画像を取得する部分を含む原稿に画像読取装置１０を載置する際に、このドットマーク２２を用いて位置あわせを行うことができる。従って、原稿９０に載置する画像読取装置１０が傾斜しないようにすることができ、取得された画像の傾斜を防止できる。
【００４４】
○  上記実施形態では、平板上の画像読取装置１０を画像を取得する部分を含む原稿の上に載置して画像読取を行う。このため、原稿が書籍等の場合でも、原稿の厚さにかかわらず、その上に画像読取装置１０を載置して読取を行うことができる。
【００４５】
なお、上記実施形態は、以下の態様に変更してもよい。
・  上記実施形態では、ユーザによる画像取得領域の指定は、タッチパネル２１をなぞることにより、長方形の対角線の端点を指定することにより行った。ユーザによる画像取得領域の指定の方法は、これに限られるものではない。例えば、ユーザが、長方形の対角線の端点となる２点をタッチパネル２１上で指定してもよい。この場合、画像読取装置１０が、指定された２点を結ぶ直線を対角線とする長方形の領域を画像取得領域として特定する。
【００４６】
・  上記実施形態では、画像取得領域は長方形の領域としたが、画像取得領域は自由形状であってもよい。例えば、ユーザが、タッチパネル２１をなぞることにより自由形状を形成する。この場合、画像読取装置１０が、なぞられた位置を連続して特定し、連続して特定された位置により囲まれる領域を画像取得領域として特定する。また、この場合、上記実施形態の場合と同様に、副走査方向については、画像取得領域に含まれる部分のみの画像読取を行い、主走査方向については、指定された画像取得領域に対応する部分のみを読取後のイメージデータから切り出してもよい。これにより、画像取得領域を自由形状とする場合にも、画像読取を行う領域を限定できる。
【００４７】
・  上記実施形態では、副走査方向については画像取得領域に対応する部分のみを読取対象とし、主走査方向については、読取られたイメージデータから画像取得領域に対応する部分のみを切り出した。これに代えて、主走査方向についても、イメージセンサによる画像読取を行う際に画像取得領域の部分のみの読取を行う構成としてもよい。
【００４８】
・  上記実施形態では、画像読取装置１０は、位置認識手段としてタッチパネル２１を備えた。位置認識手段は、ユーザにより指定された位置を特定できればよく、例えば、透明板上でユーザが触れた位置を所謂バーチャルキーボードと同様の仕組を用いて位置を検知することにより、ユーザにより指定された画像取得領域を特定してもよい。具体的には、赤外半導体レーザー投影モジュールにより、位置検知用赤外レーザーを透明板上に透明板に平行して扇状に放射し、ＣＭＯＳカメラモジュールにより、下部から放射されるレーザーの反射光を検出して、ユーザが透明板に触れた位置を検出する。また、この場合、透明板にドットマーク２２に相当する位置あわせの手段を設けてもよいし、赤色半導体レー
ザーモジュール及びホログラフィック光学素子を用いてドットマーク２２に相当する位置あわせの手段を表示してもよい。
【００４９】
・  上記実施形態では、画像読取装置１０が取得したイメージデータの印刷は、外部装置８０であるプリンタにデータを送信して行った。画像読取装置は、プリンタと一体型で、取り外し可能な構成であってもよい。この場合、画像読取装置をプリンタに設置している状態で充電可能な構成としてもよい。
【００５０】
・  上記実施形態では、タッチパネル２１上に、主走査方向、副走査方向それぞれに等間隔でドットマーク２２を設けたが、位置あわせのために用いることができるものであれば、タッチパネル２１に設けるものはこれに限られない。例えば、方眼をタッチパネル２１上に設けてもよい。
【図面の簡単な説明】
【００５１】
【図１】本発明の画像読取装置の分解図。
【図２】本発明の画像読取装置の電気的構成を示すブロック図。
【図３】本発明の画像読取装置の要部の模式図。
【図４】本発明の画像読取装置における処理手順を示すフローチャート。
【図５】（ａ），（ｂ），（ｃ）本発明の画像読取装置における処理手順の説明図。
【符号の説明】
【００５２】
１０…画像読取装置、２１…透明板としてのタッチパネル、３１…表示手段としての表示部、３２…キー入力手段としての入力キー、４２…画像読取ユニット、９２…画像取得領域。
【図１】
2007027868.tif 000003
【図２】
2007027868.tif 000004
【図３】
2007027868.tif 000005
【図４】
2007027868.tif 000006
【図５】
2007027868.tif 000007